(57)【特許請求の範囲】
【請求項１】
印刷データを連続用紙に印刷することにより印刷物を複製・復刻する印刷方法であって、
前記連続用紙として和紙を使用し、
前記和紙に前記印刷データを印刷する前に当該和紙を厚さ方向に圧縮する工程と、
前記和紙に前記印刷データが印刷された後に当該和紙に水蒸気を吹き付ける工程と、
前記水蒸気を吹き付けられた和紙を乾燥させる工程とを有する印刷方法。
【発明の詳細な説明】
【０００１】
【発明の属する技術分野】
本発明は、絵巻物等の印刷物を複製・復刻する印刷方法に関する。
【０００２】
【従来の技術】
従来より、日本特有の絵と文章による複合芸術である絵巻物は、所蔵元にて厳重に保管されており、その一部は複製・復刻がなされている。
【０００３】
絵巻物の複製・復刻は、従来は、一般の美術品を製作する場合と同様にリトグラフ技術を用いて印刷物を作成したり、専門家が原画を元に絵巻物を再生したりすることによって行われている。
【０００４】
また、原画をカメラ等で撮影し、撮影した映像を画像として印刷することによっても絵巻物の複製・復刻がなされている場合もある。
【０００５】
【発明が解決しようとする課題】
しかしながら、上述したようにリトグラフ技術を用いて印刷物を作成したり、専門家が原画を元に絵巻物を再生したりすることによって絵巻物を複製・復刻する場合、そのための手間と時間がかかってしまい、複製・復刻された絵巻物が非常に高価なものとなってしまうという問題点がある。
【０００６】
また、原画をカメラ等で撮影し、撮影した映像を画像として印刷することによって絵巻物を複製・復刻する場合は、撮影された映像毎に絵巻物が複製・復刻されることになり、本来の絵巻物のように連続した形態で複製・復刻することができないという問題点がある。また、撮影された映像毎に複製・復刻された絵巻物を糊等によってつなぎ合わせて連続した形態とした場合においても、そのつなぎ目が存在することになるため、複製・復刻された絵巻物を現物に近い感覚で見ることができない。
【０００７】
本発明は、上述したような従来の技術が有する問題点に鑑みてなされたものであって、現物に近い感覚で見ることができるように、かつ、低コストで絵巻物等の印刷物を複製・復刻する印刷方法を提供することを目的とする。
【０００８】
【課題を解決するための手段】
上記目的を達成するために本発明は、
印刷データを連続用紙に印刷することにより印刷物を複製・復刻する印刷方法であって、
前記連続用紙として和紙を使用し、
前記和紙に前記印刷データを印刷する前に当該和紙を厚さ方向に圧縮する工程と、
前記和紙に前記印刷データが印刷された後に当該和紙に水蒸気を吹き付ける工程と、
前記水蒸気を吹き付けられた和紙を乾燥させる工程とを有する。
【００１３】
（作用）
上記のように構成された本発明によって絵巻物を複製・復刻する場合、  まず、複製・復刻する絵巻物を撮影手段において撮影可能範囲毎に分割して撮影することにより絵巻物の画像データを取得し、次に、撮影手段にて取得された絵巻物の画像データを印刷データとして出力する制御手段内の連続画像データ作成手段において、撮影手段にて取得された絵巻物の画像データが組み合わされて連続した画像データが作成され、次に、印刷データ作成手段において、連続画像データ作成手段にて作成された連続した画像データが、複製・復刻された絵巻物を印刷する印刷手段の容量に基づくサイズに分割されて印刷データが作成され、この印刷データが印刷データ出力手段を介して印刷手段に出力され、その後、印刷手段において、印刷データ出力手段を介して出力された印刷データが連続用紙に連続状態で印刷される。
【００１４】
これにより、本来の絵巻物のように手にとって巻きながら見ることができる絵巻物の複製を低コストで作成することができる。
【００１５】
また、連続用紙の印刷データが印刷される面とは反対側の面に布模様を印刷したり、連続用紙にバガス紙を用いたりすれば、さらに、現物に近い感覚で絵巻物を複製・復刻することができる。
【００１６】
【発明の実施の形態】
以下に、本発明の実施の形態について図面を参照して説明する。
【００１７】
図１は、本発明の絵巻物の印刷システムの実施の一形態を示す図である。
【００１８】
本形態は図１に示すように、絵巻物を撮影可能範囲毎に分割して撮影することにより絵巻物の画像データを取得する撮影手段１０と、撮影手段１０にて取得された絵巻物の画像データを印刷データとして出力するコンピュータ等の制御装置２０と、制御装置２０から出力された印刷データを連続用紙に連続状態で印刷する印刷装置３０とから構成されており、制御装置２０は、撮影手段１０にて取得された絵巻物の画像データを取り込み、取り込んだ画像データを画像データファイル２２に格納する画像取込部２１と、画像データファイル２２に格納された画像データを組み合わせて連続した画像データを作成する連続画像データ作成部２３と、連続画像データ作成部２３にて作成された連続した画像データを印刷装置３０のバッファ容量に基づくサイズに分割して印刷データを作成する印刷データ作成部２４と、印刷データ作成部２４にて作成された印刷データを印刷装置３０に出力する印刷データ出力部２５とから構成されている。
【００１９】
以下に、上記のように構成された絵巻物の印刷システムにおける絵巻物の印刷方法について説明する。
【００２０】
図２は、図１に示した絵巻物の印刷システムにおける絵巻物の印刷方法を説明するためのフローチャートである。
【００２１】
まず、撮影手段１０において、複製・復刻の対象となる絵巻物を、撮影手段１０における撮影可能範囲毎に分割して撮影する（ステップＳ１）。
【００２２】
次に、撮影手段１０にて撮影された絵巻物の画像データを制御装置２０の画像取込部２１にて取り込む（ステップＳ２）。なお、画像取込部２１にて取り込まれた絵巻物の画像データは、分割された画像データ毎に画像データファイル２２に格納される。
【００２３】
次に、連続画像データ作成部２３において、画像データファイル２２に格納された画像データが組み合わされることにより、連続した画像データが作成される（ステップＳ３）。
【００２４】
次に、印刷データ作成部２４において、連続画像データ作成部２３にて作成された連続した画像データが印刷装置３０のバッファに基づくサイズに分割され、それにより、印刷データが作成される（ステップＳ４）。
【００２５】
その後、印刷データ作成部２４にて作成された印刷データが、印刷データ出力部２５から出力され（ステップＳ５）、印刷装置３０において、連続用紙に連続状態で印刷される（ステップＳ６）。
【００２６】
上述した一連の工程によって、絵巻物が連続用紙に印刷され、複製・復刻されることになる。
【００２７】
以下に、上述した一連の工程について具体例を挙げて説明する。
【００２８】
図３は、図２に示した工程を具体的に説明するための図である。なお、図３に示すものにおいては、説明を簡単にするために、絵巻物が３分割されて撮影手段１０にて撮影され、印刷装置３０に対して２分割された印刷データが出力される場合を例に挙げて説明するが、それらの分割数はこれに限定されるものではない。
【００２９】
まず、撮影手段１０において、複製・復刻の対象となる絵巻物を、撮影手段１０における撮影可能範囲毎に分割して撮影し、それにより、絵巻物が分割された画像データ１ａ〜１ｃを取得する。なお、その際、図３（ａ）に示すように、絵巻物を分割して撮影した場合に、隣り合う画像が互いに重なり合う領域となる重複部２ａ，２ｂ１，２ｂ２，２ｃが生じるように絵巻物を撮影する。
【００３０】
次に、撮影手段１０にて撮影された絵巻物の画像データを制御装置２０の画像取込部２１にて取り込むと、画像取込部２１にて取り込まれた絵巻物の画像データが、分割された画像データ毎に画像データファイル２２に格納される。
【００３１】
次に、連続画像データ作成部２３において、画像データファイル２２に格納された画像データが組み合わされることにより、連続した画像データが作成される。本例においては、まず、図３（ｂ）に示すように、３分割されて撮影された画像データ１ａ〜１ｃのうち、隣り合う２つの画像データ１ａ，１ｂが、画像データ１ａの重複部２ａと画像データ１ｂの重複部２ｂ１とが重なり合うように組み合わされ、また、その重複部２ａ，２ｂ１の色や歪が補正され、それにより、画像データ１ａと画像データ１ｂとが組み合わされた連続画像データ４ａが作成される。
【００３２】
次に、印刷データ作成部２４において、連続画像データ作成部２３にて作成された連続画像データ４ａが印刷装置３０のバッファに基づくサイズに分割され、それにより、図３（ｃ）に示すように印刷データ３ａが作成される。なお、本例においては、印刷装置３０のバッファに基づく印刷データのサイズが、連続画像データ４ａのサイズよりも小さく、かつ、連続画像データ４ａのサイズの半分よりも大きいため、連続画像データ４ａからは印刷データ３ａのみが作成され、連続画像データ４ａのうち印刷データ３ａとならなかった部分は画像データ１ｄとして残ることになる。
【００３３】
上述したような連続画像データ作成部２３における処理と印刷データ作成部２４における処理を、画像データファイル２２に格納された画像データ１ａ〜１ｃのそれぞれについて順次行う。
【００３４】
本例においては、次に、図３（ｄ）に示すように、連続画像データ作成部２３において、印刷データ作成部２４にて印刷データとならなかった画像データ１ｄと、画像データファイル２２に格納された画像データ１ａ〜１ｃのうち、連続画像データが作成されていない画像データ１ｃとが、画像データ１ｄの重複部２ｂ２と画像データ１ｃの重複部２ｃとが重なり合うように組み合わされ、また、その重複部２ｂ２，２ｃの色や歪が補正され、それにより、画像データ１ｄと画像データ１ｃとが組み合わされた連続画像データ４ｂが作成される。
【００３５】
次に、印刷データ作成部２４において、連続画像データ作成部２３にて作成された連続画像データ４ｂが印刷装置３０のバッファに基づくサイズに分割されるが、本例においては、印刷装置３０のバッファに基づく印刷データのサイズが、連続画像データ４ｂのサイズと同一であるため、図３（ｅ）に示すように、連続画像データ作成部２３にて作成された連続画像データ４ｂがそのまま印刷データ３ｂとなる。
【００３６】
その後、印刷データ作成部２４にて作成された印刷データが、印刷データ出力部２５から出力され、印刷装置３０において、図３（ｆ）に示すように、絵巻物５として連続用紙に連続状態で印刷されることになる。
【００３７】
また、印刷装置３０においては、連続用紙の両面に対する印字を可能なものとし、連続用紙の表面に、印刷データ出力部２５から出力された印刷データを印字し、連続用紙の裏面に、布模様等を印字すれば、印刷装置３０にて印刷された絵巻物の複製が現物に近いものとなる。
【００３８】
また、印刷データ出力部２５から出力される印刷データが印字される連続用紙としては、合成紙、ニスコート紙、和紙、フィルム等の様々な材質のものが適用することができるが、中でも、材質が和紙に類似し、また、デジタルプリンタにも適用可能なバガス紙を使用すれば、印刷装置３０にて印刷された絵巻物の複製が、さらに現物に近いものとなる。
【００３９】
なお、和紙においては、その表面の平坦性の低さから、デジタルプリンタにおける印刷にはあまり適していない。そこで、印刷工程の前に和紙を厚さ方向に圧縮し、それにより、表面の平坦性を高め、その状態で印刷を施し、その後、水蒸気等を吹き付け、乾燥させることによって圧縮前の状態に戻せば、和紙についても、デジタルプリンタにおける印刷を行うことができるようになる。
【００４０】
【発明の効果】
以上説明したように本発明においては、複製・復刻する絵巻物を撮影手段において撮影可能範囲毎に分割して撮影することにより絵巻物の画像データを取得し、次に、撮影手段にて取得された絵巻物の画像データを印刷データとして出力する制御手段内の連続画像データ作成手段において、撮影手段にて取得された絵巻物の画像データが組み合わされて連続した画像データが作成され、次に、印刷データ作成手段において、連続画像データ作成手段にて作成された連続した画像データが、複製された絵巻物を印刷する印刷手段の容量に基づくサイズに分割されて印刷データが作成され、この印刷データが印刷データ出力手段を介して印刷手段に出力され、その後、印刷手段において、印刷データ出力手段を介して出力された印刷データが連続用紙に連続状態で印刷され、それにより、絵巻物を複製・復刻する構成としたため、本来の絵巻物のように手にとって巻きながら見ることができる絵巻物の複製を低コストで作成することができる。
【００４１】
また、連続用紙の印刷データが印刷される面とは反対側の面に布模様を印刷したものや、連続用紙にバガス紙を用いたものにおいては、さらに、現物に近い感覚で絵巻物を複製・復刻することができる。
【図面の簡単な説明】
【図１】本発明の絵巻物の印刷システムの実施の一形態を示す図である。
【図２】図１に示した絵巻物の印刷システムにおける絵巻物の印刷方法を説明するためのフローチャートである。
【図３】図２に示した工程を具体的に説明するための図である。
【符号の説明】
１ａ〜１ｄ    画像データ
２ａ，２ｂ１，２ｂ２，２ｃ    重複部
３ａ，３ｂ    印刷データ
４ａ，４ｂ    連続画像データ
５    絵巻物
１０    撮影手段
２０    制御装置
２１    画像取込部
２２    画像データファイル
２３    連続画像データ作成部
２４    印刷データ作成部
２５    印刷データ出力部
３０    印刷装置
【図１】
0004080734.tif 000002
【図２】
0004080734.tif 000003
【図３】
0004080734.tif 000004